(57)【要約】【課題】発光装置の発光画素に印加される発光データ信号を時分割方式で順次に伝達する方法を利用して、瞬間的に生成されるピーク電流を減少させる。【解決手段】本発明の表示装置は、複数のゲート線、複数のデータ線、及び複数のゲート線及び複数のデータ線で定義される複数の液晶画素を含む表示パネル、及び複数の走査信号を伝達する複数の走査線、複数の発光データ信号を伝達する複数のコラム線、複数の走査線及び複数のコラム線で定義される複数の発光画素を含み、複数の発光画素を少なくとも第１及び第２グループに分け、第１グループに属する第１発光画素及び第２グループに属する第２発光画素は同一な走査線に連結されていて、第１発光画素に伝達される第１発光データ信号が伝達される第１期間の時点及び第２発光画素に伝達される第２発光データ信号が伝達される第２期間の時点が互いに異なる。【選択図】図１３
2009037195.tif 000002
【特許請求の範囲】
【請求項１】
複数の走査信号を伝達する複数の走査線、複数の発光データ信号を伝達する複数のコラム線、前記複数の走査線及び前記複数のコラム線によって定義される複数の発光画素を含み、
前記複数の発光画素を少なくとも第１及び第２グループに分け、前記第１グループに属する第１発光画素及び前記第２グループに属する第２発光画素は同一な走査線に連結されていて、前記第１発光画素に伝達される第１発光データ信号が伝達される第１期間の時点及び前記第２発光画素に伝達される第２発光データ信号が伝達される第２期間の時点が互いに異なる、発光装置。
【請求項２】
前記第１期間及び前記第２期間は、前記走査線に前記走査信号が伝達される期間に含まれ、前記第１期間は前記第２期間より先行する、請求項１に記載の発光装置。
【請求項３】
前記第１期間の間に前記第１発光画素に前記第１発光データ信号を伝達し、前記第２期間の間に前記第２発光画素に前記第２発光データ信号を伝達するための発光制御信号を生成する発光制御部をさらに含む、請求項１に記載の発光装置。
【請求項４】
前記第１発光データ信号及び前記第２発光データ信号を含む前記複数の発光データ信号を生成するコラム駆動部をさらに含む、請求項３に記載の発光装置。
【請求項５】
前記コラム駆動部は、前記発光制御信号に同期して、前記第１発光データ信号を前記第１グループに伝達し、前記第２発光データ信号を前記第２グループに伝達する、請求項４に記載の発光装置。
【請求項６】
前記発光制御信号は、前記走査線に走査信号が伝達される期間の間に少なくとも２つのパルスを含み、前記少なくとも２つのパルスは、前記分けられた少なくとも２つのグループに対応して生成される、請求項５に記載の発光装置。        
【請求項７】
複数のゲート信号を伝達する複数のゲート線、複数のデータ信号を伝達する複数のデータ線、及び前記複数のゲート線及び前記複数のデータ線によって定義される複数の液晶画素を含む表示パネル、及び
複数の走査信号を伝達する複数の走査線、複数の発光データ信号を伝達する複数のコラム線、前記複数の走査線及び前記複数のコラム線によって定義される複数の発光画素を含み、
前記複数の発光画素を少なくとも第１及び第２グループに分け、前記第１グループに属する第１発光画素及び前記第２グループに属する第２発光画素は同一な走査線に連結されていて、前記第１発光画素に伝達される第１発光データ信号が伝達される第１期間の時点及び前記第２発光画素に伝達される第２発光データ信号が伝達される第２期間の時点が互いに異なる発光装置を含む、表示装置。
【請求項８】
前記第１期間及び前記第２期間は、前記走査線に前記走査信号が伝達される期間に含まれ、前記第１期間は前記第２期間より先行する、請求項７に記載の表示装置。
【請求項９】
複数の走査信号を伝達する複数の走査線、複数の発光データ信号を伝達する複数のコラム線、及び前記複数の走査線及び前記複数のコラム線によって定義される複数の発光画素を含む発光装置の駆動方法において、
前記走査信号が第１走査線に伝達される走査オン期間を設定する段階、
前記第１走査線に連結されている前記複数の発光画素を少なくとも第１及び第２グループに分ける段階、
前記走査オン期間の間に前記第１走査線に前記走査信号を伝達する段階、
第１期間の間に前記第１グループに第１発光データ信号を伝達する段階、及び
第２期間の間に前記第２グループに第２発光データ信号を伝達する段階を含む、発光装置の駆動方法。
【請求項１０】
前記第１期間及び前記第２期間は、前記走査オン期間に含まれ、前記第１期間は前記第２期間より先行する、請求項９に記載の発光装置の駆動方法。
【請求項１１】
前記第１グループに前記第１発光データ信号が伝達される前記第１期間の時点及び前記第２グループに前記第２発光データ信号が伝達される前記第２期間の時点が互いに異なる、請求項１０に記載の発光装置の駆動方法。
【請求項１２】
前記走査オン期間を設定する段階は、前記第１発光データ信号を前記第１グループに伝達し、前記第２発光データ信号を前記第２グループに伝達するための発光制御信号を設定する段階をさらに含む、請求項９に記載の発光装置の駆動方法。
【請求項１３】
前記発光制御信号は、前記走査オン期間の間に少なくとも２つのパルスを含み、前記少なくとも２つのパルスは、前記分けられた少なくとも２つのグループに対応して生成される、請求項１２に記載の発光装置の駆動方法。
【発明の詳細な説明】
【技術分野】
【０００１】
本発明は発光装置及びこれを利用した表示装置、発光装置の駆動方法及び表示装置の駆動方法に関し、より詳細には、表示画像に同期して動作する発光装置を含む表示装置に関する。
【背景技術】
【０００２】
平板表示装置の一種である液晶表示装置は、印加電圧によってねじれ角が変化する液晶の誘電異方性を利用して、ピクセル別に光の透過量を変化させて所定の画像を表示する表示装置である。このような液晶表示装置は、代表的な画像表示装置である陰極線管に比べて、軽量化、薄型化、及び低消費電力化などの長所がある。
【０００３】
液晶表示装置は、基本的に、液晶パネル組立体、及び液晶パネル組立体の後方に位置して、液晶パネル組立体に光を提供する発光装置を含む。
【０００４】
液晶パネル組立体が能動型液晶パネル組立体に構成される場合、この液晶パネル組立体は、一対の透明基板、透明基板の間に位置する液晶層、透明基板の外側面に位置する偏光板、いずれか１つの透明基板の内側面に形成される共通電極、他の１つの透明基板の内側面に形成される画素電極及びスイッチング素子、１つのピクセルを構成する３つのサブピクセルに赤色、緑色、及び青色を付与したカラーフィルターなどを含む。
【０００５】
このような液晶パネル組立体は、発光装置から放出される光の提供を受けて、この光を液晶層の作用で透過させたり遮断することによって、所定の画像を表示する。
【０００６】
ここで、発光装置に含まれる全ての発光画素には、発光データ信号が同時に伝達されて、瞬間的にピーク（ｐｅａｋ）電流が生成される。このように瞬間的に生成されるピーク（ｐｅａｋ）電流は、電源回路の開発時に安定性の確保及び素子の選定を難しくする。
【発明の開示】
【発明が解決しようとする課題】
【０００７】
したがって、本発明は、前記問題を解消するために、発光装置の発光画素に印加される発光データ信号を時分割方式で順次に伝達する方法を利用して、瞬間的に生成されるピーク（ｐｅａｋ）電流を減少させることができる、発光装置及びこれを利用した表示装置、発光装置の駆動方法及び表示装置の駆動方法を提供する。
【課題を解決するための手段】
【０００８】
前記の目的を達成するために、本発明の特徴による発光装置は、複数の走査信号を伝達する複数の走査線、複数の発光データ信号を伝達する複数のコラム線、前記複数の走査線及び前記複数のコラム線によって定義される複数の発光画素を含み、前記複数の発光画素を少なくとも第１及び第２グループに分け、前記第１グループに属する第１発光画素及び前記第２グループに属する第２発光画素は同一な走査線に連結されていて、前記第１発光画素に伝達される第１発光データ信号が伝達される第１期間の時点及び前記第２発光画素に伝達される第２発光データ信号が伝達される第２期間の時点が互いに異なる。この時、前記第１期間及び前記第２期間は、前記走査線に前記走査信号が伝達される期間に含まれ、前記第１期間は前記第２期間より先行する。そして、前記第１期間の間に前記第１発光画素に前記第１発光データ信号を伝達し、前記第２期間の間に前記第２発光画素に前記第２発光データ信号を伝達するための発光制御信号を生成する発光制御部をさらに含む。また、前記第１発光データ信号及び前記第２発光データ信号を含む前記複数の発光データ信号を生成するコラム駆動部をさらに含む。ここで、前記コラム駆動部は、前記発光制御信号に同期して前記第１発光データ信号を前記第１グループに伝達し、前記第２発光データ信号を前記第２グループに伝達する。この時、前記発光制御信号は、前記走査線に走査信号が伝達される期間の間に少なくとも２つのパルスを含み、前記少なくとも２つのパルスは、前記分けられた少なくとも２つのグループに対応して生成される。
【０００９】
本発明の他の特徴による表示装置は、複数のゲート信号を伝達する複数のゲート線、複数のデータ信号を伝達する複数のデータ線、及び前記複数のゲート線及び前記複数のデータ線によって定義される複数の液晶画素を含む表示パネル、及び複数の走査信号を伝達する複数の走査線、複数の発光データ信号を伝達する複数のコラム線、前記複数の走査線及び前記複数のコラム線によって定義される複数の発光画素を含み、前記複数の発光画素を少なくとも第１及び第２グループに分け、前記第１グループに属する第１発光画素及び前記第２グループに属する第２発光画素は同一な走査線に連結されていて、前記第１発光画素に伝達される第１発光データ信号が伝達される第１期間の時点及び前記第２発光画素に伝達される第２発光データ信号が伝達される第２期間の時点が互いに異なる発光装置を含む。この時、前記第１期間及び前記第２期間は、前記走査線に前記走査信号が伝達される期間に含まれ、前記第１期間は前記第２期間より先行する。
【００１０】
本発明のまた他の特徴による発光装置の駆動方法は、複数の走査信号を伝達する複数の走査線、複数の発光データ信号を伝達する複数のコラム線、及び前記複数の走査線及び前記複数のコラム線によって定義される複数の発光画素を含む発光装置の駆動方法であって、前記走査信号が第１走査線に伝達される走査オン期間を設定する段階、前記第１走査線に連結されている前記複数の発光画素を少なくとも第１及び第２グループに分ける段階、前記走査オン期間の間に前記第１走査線に前記走査信号を伝達する段階、第１期間の間に前記第１グループに第１発光データ信号を伝達する段階、及び第２期間の間に前記第２グループに第２発光データ信号を伝達する段階を含む。この時、前記第１期間及び前記第２期間は、前記走査オン期間に含まれ、前記第１期間は前記第２期間より先行する。そして、前記第１グループに前記第１発光データ信号が伝達される前記第１期間の時点及び前記第２グループに前記第２発光データ信号が伝達される前記第２期間の時点が互いに異なる。この時、前記走査オン期間を設定する段階は、前記第１発光データ信号を前記第１グループに伝達し、前記第２発光データ信号を前記第２グループに伝達するための発光制御信号を設定する段階をさらに含む。ここで、前記発光制御信号は、前記走査オン期間の間に少なくとも２つのパルスを含み、前記少なくとも２つのパルスは、前記分けられた少なくとも２つのグループに対応して生成される。
【発明の効果】
【００１１】
本発明の特徴による発光装置及びこれを利用した表示装置、発光装置の駆動方法及び表示装置の駆動方法は、発光データ信号の伝達時点を制御して、瞬間的に生成されるピーク（ｐｅａｋ）電流を減少させることができる。
【発明を実施するための最良の形態】
【００１２】
発光装置は、光源の種類によって区分され、そのうちの１つとして、冷陰極蛍光ランプ（Ｃｏｌｄ Ｃａｔｈｏｄｅ Ｆｌｕｏｒｅｓｃｅｎｔ Ｌａｍｐ；以下、ＣＣＦＬとする）方式が公知されている。ＣＣＦＬは、線光源であるため、ＣＣＦＬから放出された光を拡散シート、拡散板、及びプリズムシートなどの光学部材を通じて液晶パネル組立体に向かって均一に分散させる。
【００１３】
しかし、ＣＣＦＬ方式では、ＣＣＦＬから放出された光が光学部材を通過するので、相当な光の損失が発生する。通常のＣＣＦＬ方式の液晶表示装置で、液晶パネル組立体を透過する光は、ＣＣＦＬで発生した光のほぼ３乃至５％程度に相当すると言われている。また、ＣＣＦＬ方式の発光装置は、消費電力が大きく、液晶表示装置全体の消費電力の相当な部分を占めて、ＣＣＦＬの構造上、大面積化が難しいため、３０インチ以上の大型液晶表示装置への適用が難しい限界がある。
【００１４】
そして、従来の発光装置として、発光ダイオード（Ｌｉｇｈｔ Ｅｍｉｔｔｉｎｇ Ｄｉｏｄｅ;以下、ＬＥＤとする）方式が公知されている。ＬＥＤは、点光源であって、通常は複数が形成され、反射シート、導光板、拡散シート、拡散板、及びプリズムシートなどの光学部材と組合わせることによって、発光装置を構成する。このようなＬＥＤ方式は、応答速度が速く、色再現性が優れている長所があるが、製造原価が高く、厚さが厚い短所がある。
【００１５】
このように、従来の発光装置は、光源の種類によって各々問題がある。また、従来の発光装置は、液晶表示装置が駆動される時に一定の明るさで常に点灯しているので、液晶表示装置に要求される画質の改善に応えるのが難しい問題がある。
【００１６】
一例として、液晶パネル組立体が画像信号によって明るい部分及び暗い部分を含む任意の画面を表示する場合、発光装置が明るい部分を表示する液晶パネルのピクセル部位及び暗い部分を表示する液晶パネルのピクセル部位に互いに異なる強さの光を提供すれば、動的コントラスト比（ｄｙｎａｍｉｃ ｃｏｎｔｒａｓｔ）が優れている画面を実現することができるであろう。
【００１７】
発光装置に含まれる全ての発光画素には、発光データ信号が同時に伝達されて、瞬間的にピーク（ｐｅａｋ）電流が生成される。このように瞬間的に生成されるピーク（ｐｅａｋ）電流は、電源回路の開発時に安定性の確保及び素子の選定を難しくする。したがって、本発明は、前記問題を解消するために、発光装置の発光画素に印加される発光データ信号を時分割方式で順次に伝達する方法を利用して、瞬間的に生成されるピーク（ｐｅａｋ）電流を減少させることができる、発光装置及びこれを利用した表示装置、発光装置の駆動方法及び表示装置の駆動方法を提供する。
【００１８】
以下、添付した図面を参照して、本発明の実施例について、本発明が属する技術分野で通常の知識を有する者が容易に実施することができるように詳細に説明する。しかし、本発明は、多様な相異した形態で具現され、ここで説明する実施例に限定されない。図面では、本発明を明確に説明するために、説明に不必要な部分は省略した。明細書全体を通して類似した部分には、類似した図面符号を付けた。
【００１９】
明細書全体を通して、ある部分が他の部分に「連結」されているとする時、これは「直接連結」されている場合だけでなく、その中間に他の素子をおいて「電気的に連結」されている場合も意味する。また、ある部分がある構成要素を「含む」とする時、これは特に反対になる記載がない限り、他の構成要素を排除するのではなく、他の構成要素を「さらに含む」ことができることを意味する。
【００２０】
図１は本発明の第１実施例による発光装置の部分断面図である。
【００２１】
図１を参照すれば、本発明の第１実施例の発光装置１０は、互いに対向配置される第１基板１２及び第２基板１４、及び第１基板１２及び第２基板１４の間に位置して、この基板１２、１４を接合させる密封部材１６からなる真空容器１８を含む。真空容器１８の内部は約１０−６Ｔｏｒｒの真空度を維持する。
【００２２】
第１基板１２及び第２基板１４のうちの密封部材１６の内側に位置する領域は、実際に可視光の放出に寄与する有効領域、及び有効領域を囲む非有効領域に区分される。第１基板１２の内側面の有効領域には、電子の放出のための電子放出ユニット２０が位置し、第２基板１４の内側面の有効領域には、可視光の放出のための発光ユニット２２が位置する。
【００２３】
発光ユニット２２が位置する第２基板１４が発光装置１０の前面基板になり、電子放出ユニット２０が位置する第１基板１２が発光装置１０の後面基板になることができる。
【００２４】
電子放出ユニット２０は、電子放出部２４、電子放出部２４の電子の放出量を制御する駆動電極２６、２８を含む。駆動電極２６、２８は、カソード電極２６、及び絶縁層３０を間においてカソード電極２６の上部でカソード電極２６と交差する方向に沿って形成されるゲート電極２８を含む。
【００２５】
カソード電極２６及びゲート電極２８の交差領域ごとにゲート電極２８及び絶縁層３０に開口部２８１、３０１が形成されてカソード電極２６の表面の一部が露出され、絶縁層の開口部３０１の内側でカソード電極２６上に電子放出部２４が位置する。
【００２６】
電子放出部２４は、真空中で電界が加えられると電子を放出する物質、例えば炭素系物質またはナノメートルサイズ物質を含む。電子放出部２４は、一例として、炭素ナノチューブ、黒鉛、黒鉛ナノファイバー、ダイヤモンド、ダイヤモンド状炭素、フラーレン（Ｃ６０）、シリコンナノワイヤー、及びこれらの組合わせからなる群より選択された物質を含む。
【００２７】
一方で、電子放出部は、モリブデン（Ｍｏ）またはシリコン（Ｓｉ）などを主な材質とする先端が尖ったチップ構造物からなることができる。
【００２８】
前記構造で、カソード電極２６及びゲート電極２８の交差領域の１つが発光装置１０の１つの画素領域に対応したり、２つ以上の交差領域が発光装置１０の１つの画素領域に対応することができる。
【００２９】
次に、発光ユニット２２は、アノード電極３２、アノード電極３２の一面に位置する蛍光層３４、蛍光層３４を覆う金属反射膜３６を含む。アノード電極３２は、真空容器１８の外側の電源部（図示せず）からアノード電圧の印加を受けて、蛍光層３４を高電位状態に維持させる。アノード電極３２は、蛍光層３４から放出される可視光を透過させることができるように、ＩＴＯ（インジウムスズ酸化物）などの透明な導電膜からなる。
【００３０】
金属反射膜３６は、アルミニウムからなることができ、数千オームストロング（Å）の薄さに形成されて、電子ビームの通過のための微細ホールを形成する。金属反射膜３６は、蛍光層３４から放出された可視光のうちの第１基板１２に向かって放射された可視光を第２基板１４側に反射させて、発光面の輝度を高める。一方、アノード電極３２が省略されて、金属反射膜３６がアノード電圧の印加を受けてアノード電極として機能することもできる。
【００３１】
そして、有効領域で、第１基板１２及び第２基板１４の間には、真空容器１８に加えられる圧縮力を支持して、この基板１２、１４の間隔を一定に維持させるスペーサ（図示せず）が位置する。
【００３２】
前記構造の発光装置１０は、カソード電極２６及びゲート電極２８に所定の駆動電圧を印加し、アノード電極３２に数千ボルト以上の正の直流電圧（アノード電圧）を印加して駆動する。つまり、カソード電極２６及びゲート電極２８のうちの一方の電極に走査駆動電圧を印加し、他方の電極にデータ駆動電圧を印加する。
【００３３】
そうすると、カソード電極２６及びゲート電極２８の電圧差が臨界値以上である画素で電子放出部２４の周囲に電界が形成され、これから電子が放出されて、放出された電子はアノード電圧に引きずられて対応する蛍光層３４の領域に衝突することによって、これを発光させる。画素別の蛍光層３４の発光の強さは、該当する画素の電子ビームの放出量に対応する。
【００３４】
図２は本発明の第２実施例による発光装置の部分断面図である。
【００３５】
図２を参照すれば、本発明の第２実施例の発光装置１０´は、発光ユニット２２´が黒色層４６をさらに含むことを除いては、前記第１実施例と同一な構造からなる。第１実施例と同一な部材については、同一な図面符号を使用する。
【００３６】
本実施例で、蛍光層３４は、互いに所定の距離をおいて位置し、黒色層４６が蛍光層３４の間に位置する。黒色層４６は、クロムからなることができる。本実施例においても、アノード電極３２が省略され、金属反射膜３６がアノード電圧の印加を受けてアノード電極として機能することができる。
【００３７】
前記構造の発光装置１０、１０´は、受光型表示パネルに白色光を提供する光源として使用されたり、赤色蛍光層、緑色蛍光層、及び青色蛍光層が形成されていて、自主的に画像を表示することができる。
【００３８】
図３は図２に示した自己表示が可能な発光装置の有効領域の内部を示した部分分解斜視図である。
【００３９】
図３を参照すれば、自己表示が可能な発光装置において、電子放出ユニット２０´は、前記カソード電極２６及びゲート電極２８、及びカソード電極２６に電気的に連結される電子放出部２４を含む。そして、カソード電極２６及びゲート電極２８の間に位置する絶縁層３０を第１絶縁層とすると、ゲート電極２８上に第２絶縁層６８及び集束電極７０が形成されることができる。
【００４０】
第２絶縁層６８及び集束電極７０も、電子ビームの通過のための開口部６８１、７０１が形成され、集束電極７０は、０Ｖまたは数ないし数十ボルトの負の直流電圧の印加を受けて、集束電極の開口部７０１を通過する電子を集束させる。
【００４１】
発光ユニット２２´は、アノード電極３２、アノード電極３２の一面で互いに距離をおいて位置する赤色蛍光層３４Ｒ、緑色蛍光層３４Ｇ、及び青色蛍光層３４Ｂ、蛍光層３４´の間に位置する黒色層４６、蛍光層３４´及び黒色層４６を覆う金属反射膜３６を含む。
【００４２】
カソード電極２６及びゲート電極２８の交差領域が１つの副画素に対応し、赤色蛍光層３４Ｒ、緑色蛍光層３４Ｇ、及び青色蛍光層３４Ｂの各々が１つの副画素に対応して位置する。赤色蛍光層３４Ｒ、緑色蛍光層３４Ｇ、及び青色蛍光層３４Ｂが並んで位置する３つの副画素が集まって１つの画素を構成する。
【００４３】
カソード電極２６及びゲート電極２８に印加される駆動電圧によって副画素別の電子放出部２４の電子放出量が決定され、この電子が対応する副画素の蛍光層３４´に衝突して、蛍光層３４´を励起させる。発光装置は、このような過程を通じて画素別の輝度及び発光色を制御して、カラー画面を表示することができる。
【００４４】
以下、図４を参照して、本発明の第２実施例による発光装置及びその駆動方法を具体的に説明する。
【００４５】
図４は本発明の第２実施例による発光装置を示したブロック図である。
【００４６】
図４に示したように、本発明の第２実施例による発光装置９００は、発光制御部９１０、走査駆動部９２０、コラム駆動部９３０、及び発光部９４０を含む。        
【００４７】
本発明の第２実施例による走査線（Ｓ１〜Ｓｐ）は、発光画素（ＥＰＸ）のゲート電極２８の役割を果たし、コラム線（Ｃ１〜Ｃｑ）は、発光画素（ＥＰＸ）のカソード電極２６の役割を果たして、電子放出部２４に連結されている。
【００４８】
入力画像信号（Ｒ、Ｇ、Ｂ）は、各発光画素（ＥＰＸ）の輝度（ｌｕｍｉｎａｎｃｅ）情報を含み、輝度は、予め決められた数、例えば１０２４（＝２１０）、２５６（＝２８）、または６４（＝２６）個の階調（ｇｒａｙ ｓｃａｌｅ）を有している。入力制御信号の例としては、垂直同期信号（Ｖｓｙｎｃ）及び水平同期信号（Ｈｓｙｎｃ）、メインクロック信号（ＭＣＬＫ）、データイネーブル信号（ＤＥ）などがある。
【００４９】
走査駆動部９２０は、複数の走査線（Ｓ１〜Ｓｐ）に連結されていて、走査駆動制御信号（ＣＳ）によって複数の発光画素（ＥＰＸ）が発光することができるように、複数の走査信号を伝達する。
【００５０】
コラム駆動部９３０は、複数のコラム線（Ｃ１〜Ｃｑ）に連結されていて、発光制御信号（ＣＣ）及び発光信号（ＣＬＳ）によって複数の発光画素（ＥＰＸ）が発光することができるように制御する。具体的に、コラム駆動部９３０は、発光信号（ＣＬＳ）によって複数の発光データ信号を生成して、この発光データ信号を発光制御信号（ＣＣ）によって複数のコラム線（Ｃ１〜Ｃｑ）に伝達する。ここで、発光データ信号は、発光部９４０に表示される画像に合わせて設定された所定の階調に対応する電圧レベルを有する。
【００５１】
発光部９４０は、走査信号を伝達する複数の走査線（Ｓ１〜Ｓｐ）、発光データ信号を伝達する複数のコラム線（Ｃ１〜Ｃｑ）、及び複数の発光画素（ＥＰＸ）を含む。複数の発光画素（ＥＰＸ）の各々は、走査線（Ｓ１〜Ｓｐ）及び走査線に交差するコラム線（Ｃ１〜Ｃｑ）によって定義される領域に位置する。この時、走査線（Ｓ１〜Ｓｐ）は走査駆動部９２０に連結され、コラム線（Ｃ１〜Ｃｑ）はコラム駆動部９３０に連結される。そして、走査駆動部９２０及びコラム駆動部９３０は発光制御部９１０に連結されて、発光制御部９１０の制御信号によって動作する。
【００５２】
発光制御部９１０は、走査駆動部９２０及びコラム駆動部９３０を制御する。発光制御部９１０は、外部のグラフィック制御器（図示せず）から入力画像信号（Ｒ、Ｇ、Ｂ）及びその表示を制御する入力制御信号を受信する。
【００５３】
発光制御部９１０は、入力画像信号（Ｒ、Ｇ、Ｂ）及び入力制御信号に基づいて入力画像信号（Ｒ、Ｇ、Ｂ）を発光部９４０の動作条件に合うように適切に処理して、走査駆動制御信号（ＣＳ）、発光制御信号（ＣＣ）、及び発光信号（ＣＬＳ）を生成する。発光制御部９１０は、入力画像信号（Ｒ、Ｇ、Ｂ）を利用して複数の発光画素（ＥＰＸ）の階調を検出し、これをデジタルデータに変換してコラム駆動部９３０に伝達し、この時、デジタルデータは、発光信号（ＣＬＳ）に含まれる。発光制御部９１０は、複数の走査線（Ｓ１〜Ｓｐ）に伝達される走査信号の伝達時点を制御するために、走査駆動制御信号（ＣＳ）を走査駆動部９２０に伝達する。この時、走査信号は、電子放出部２４から電子が放出されるように設定された所定の電圧レベルを有する走査オン電圧（Ｖｏｎ）、及び電子がそれ以上放出されないように設定された所定の電圧レベルを有する走査オフ電圧（Ｖｏｆｆ）を有する。本発明の第２実施例による発光制御部９１０は、走査オン電圧（Ｖｏｎ）及び発光データ信号の電圧差によって瞬間的に生成されるピーク（ｐｅａｋ）電流を減少させるために、走査オン電圧（Ｖｏｎ）が印加される期間（以下、走査オン期間）を少なくとも２つの期間に時分割し、時分割された走査オン期間に対応する期間の間に同一な走査線に連結されている複数の発光画素（ＥＰＸ）に発光データ信号が伝達されるように制御する。
【００５４】
具体的に、走査オン期間が３つの期間に時分割されると、複数の発光画素（ＥＰＸ）は、時分割された走査オン期間によって３つのグループに分けられ、各グループに該当する複数の発光画素（ＥＰＸ）に発光データ信号が伝達される時点は、グループ別に異なって設定される。そうすると、グループ別に生成されるピーク（ｐｅａｋ）電流は、全ての発光画素（ＥＰＸ）が同時に発光して生成されるピーク（ｐｅａｋ）電流より小さく生成され、その大きさは、走査オン期間の時分割回数（３）に対応して１/３に減少する。この時、各グループに複数の発光データ信号が伝達される時点を異なって設定するために、発光制御部９１０は、時分割された期間に対応するパルスを有する発光制御信号（ＣＣ）を生成して、コラム駆動部９３０に伝達する。本発明の第２実施例によるコラム駆動部９３０は、発光制御信号（ＣＣ）のパルスによって各グループに複数の発光データ信号を伝達する。つまり、コラム駆動部９３０は、走査オン期間の間に少なくとも２つのパルスを有する発光制御信号（ＣＣ）によって各グループに複数の発光データ信号を順次に伝達する。このように、走査オン期間を時分割する方法を利用して複数の発光データ信号を順次に伝達することによって、瞬間的に生成されるピーク（ｐｅａｋ）電流を減少させることができる。
【００５５】
以下、図５乃至図７を参照して、本発明の第２実施例によって時分割された走査オン期間を利用して、瞬間的に生成されるピーク（ｐｅａｋ）電流を減少させる方法について説明する。
【００５６】
図５は本発明の第２実施例による発光装置の駆動タイミングを示した図面であり、図６は本発明の第２実施例による発光部９４０の一部分を簡略化して示した図面でる。
【００５７】
本発明の第２実施例では、説明の便宜のために、図５の走査オン期間を３つの期間に時分割し、時分割された各期間に対応する発光制御信号（ＣＣ）の各パルスを第１、第２、及び第３発光制御期間（Ｔ１１、Ｔ１２、Ｔ１３）に設定する。そして、図６の発光部９４０は、６つの走査線（Ｓ１〜Ｓ６）及び９つのコラム線（Ｃ１〜Ｃ９）を含むと設定する。この時、複数の発光画素（ＥＰＸ）は、時分割された走査オン期間によって３つのグループに分けられる。具体的に、複数の走査線（Ｓ１〜Ｓｐ）のうちのいずれか１つに走査オン電圧（Ｖｏｎ）が印加され、発光制御信号（ＣＣ）によって複数の発光画素（ＥＰＸ）に発光データ信号が印加される時、発光制御信号（ＣＣ）の第１発光制御期間（Ｔ１１）によって発光データ信号が印加される複数の発光画素（ＥＰＸ）を第１発光グループ（ＤＢ１）に、発光制御信号（ＣＣ）の第２発光制御期間（Ｔ１２）によって発光データ信号が印加される複数の発光画素（ＥＰＸ）を第２発光グループ（ＤＢ２）に、発光制御信号（ＣＣ）の第３発光制御期間（Ｔ１３）によって発光データ信号が印加される複数の発光画素（ＥＰＸ）を第３発光グループ（ＤＢ３）に設定する。
【００５８】
発光制御部９１０は、走査オン電圧（Ｖｏｎ）を有する走査信号（Ｓ[１]〜Ｓ[６]）が複数の走査線（Ｓ１〜Ｓ６）に印加される走査オン期間（Ｔ１〜Ｔ６）を設定する。そして、発光制御部９１０は、各走査オン期間（Ｔ１〜Ｔ６）の間の発光データ信号の印加時点を制御するために、時分割された走査オン期間に対応する発光制御信号（ＣＣ）の各パルスを第１、第２、及び第３発光制御期間（Ｔ１１、Ｔ１２、Ｔ１３）に設定する。
【００５９】
そうすると、走査駆動部９２０は、走査オン期間の間に複数の走査線（Ｓ１〜Ｓ６）のうちのいずれか１つに走査オン電圧（Ｖｏｎ）を伝達し、コラム駆動部９３０は、発光制御信号（ＣＣ）によって発光データ信号を伝達する。具体的に、走査駆動部９２０は、走査オン期間（Ｔ１）の間に走査オン電圧（Ｖｏｎ）を走査線（Ｓ１）に伝達する。そうすると、コラム駆動部９３０は、発光制御信号（ＣＣ）の第１発光制御期間（Ｔ１１）の間に複数のコラム線（Ｃ１、Ｃ４、Ｃ７）を通じて走査線（Ｓ１）に連結されている第１発光グループ（ＤＢ１）に各々の発光データ信号（Ｃ[１]、Ｃ[４]、Ｃ[７]）を伝達する。コラム駆動部９３０は、発光制御信号（ＣＣ）の第２発光制御期間（Ｔ１２）の間に複数のコラム線（Ｃ２、Ｃ５、Ｃ８）を通じて走査線（Ｓ１）に連結されている第２発光グループ（ＤＢ２）に各々の発光データ信号（Ｃ[２]、Ｃ[５]、Ｃ[８]）を伝達する。コラム駆動部９３０は、発光制御信号（ＣＣ）の第３発光制御期間（Ｔ１３）の間に複数のコラム線（Ｃ３、Ｃ６、Ｃ９）を通じて走査線（Ｓ１）に連結されている第３発光グループ（ＤＢ３）に各々の発光データ信号（Ｃ[３]、Ｃ[６]、Ｃ[９]）を伝達する。つまり、走査オン期間（Ｔ１）の間の時分割された走査オン期間に対応する発光制御信号（ＣＣ）によって走査線（Ｓ１）に連結される第１、第２、及び第３発光グループ（ＤＢ１、ＤＢ２、ＤＢ３）に発光データ信号が順次に伝達される。そうすると、瞬間的に生成されるピーク（ｐｅａｋ）電流は、走査オン期間の時分割回数（３）に対応して１／３に減少する。同様な方法で、複数の走査線（Ｓ２〜Ｓ６）の各々に走査オン電圧（Ｖｏｎ）が印加される各走査オン期間（Ｔ２〜Ｔ６）の間に、時分割された走査オン期間に対応する発光制御信号（ＣＣ）によって各走査線（Ｓ２〜Ｓ６）に連結されている第１、第２、及び第３発光グループ（ＤＢ１、ＤＢ２、ＤＢ３）に発光データ信号が順次に伝達され、それに基づいて瞬間的に生成されるピーク（ｐｅａｋ）電流は１／３に減少する。
【００６０】
図７は本発明の第２実施例によって瞬間的に生成されるピーク（ｐｅａｋ）電流を減少させる過程を示したフローチャートである。
本発明の第２実施例では、説明の便宜のために、走査線（Ｓ１）に連結されている複数の発光画素（ＥＰＸ）を利用して、ピーク（ｐｅａｋ）電流を減少させる方法について説明する。
【００６１】
発光制御部９１０は、走査線（Ｓ１）に走査オン電圧（Ｖｏｎ）が印加される走査オン期間（Ｔ１）を設定して時分割する（Ｓ１００）。そして、発光制御部９１０は、走査オン期間（Ｔ１）の間の発光データ信号の印加時点を制御するために、時分割された走査オン期間に対応する発光制御信号（ＣＣ）の各パルスを第１、第２、及び第３発光制御期間（Ｔ１１、Ｔ１２、Ｔ１３）に設定する（Ｓ２００）。
【００６２】
走査駆動部９２０は、走査オン期間（Ｔ１）の間に走査オン電圧（Ｖｏｎ）を走査線（Ｓ１）に伝達する（Ｓ３００）。コラム駆動部９３０は、発光制御信号（ＣＣ）の第１発光制御期間（Ｔ１１）の間に走査線（Ｓ１）に連結されている第１発光グループ（ＤＢ１）に属する複数の発光画素（ＥＰＸ）に発光データ信号を伝達する（Ｓ４００）。コラム駆動部９３０は、発光制御信号（ＣＣ）の第２発光制御期間（Ｔ１２）の間に走査線（Ｓ１）に連結されている第２発光グループ（ＤＢ２）に属する複数の発光画素（ＥＰＸ）に発光データ信号を伝達する（Ｓ５００）。コラム駆動部９３０は、発光制御信号（ＣＣ）の第３発光制御期間（Ｔ１３）の間に走査線（Ｓ１）に連結されている第３発光グループ（ＤＢ３）に属する複数の発光画素（ＥＰＸ）に発光データ信号を伝達する（Ｓ６００）。
【００６３】
以下、図８乃至図１０を参照して、本発明の第３実施例によって時分割された走査オン期間を利用して、瞬間的に生成されるピーク（ｐｅａｋ）電流を減少させる方法について説明する。
【００６４】
図８は本発明の第３実施例による発光装置の駆動タイミングを示した図面であり、図９は本発明の第３実施例による発光部９４０の一部分を簡略化して示した図面である。
【００６５】
本発明の第３実施例では、前記第２実施例とは異なって、走査オン期間を２つの期間に時分割し、時分割された各期間に対応する発光制御信号（ＣＣ）の各パルスを第１及び第２発光制御期間（Ｔ１１´、Ｔ１２´）に設定する。そして、走査オン期間の時分割によって複数の発光画素（ＥＰＸ）を第１及び第２発光グループ（ＤＢ１´、ＤＢ２´）に分けることを除いては、本発明の第３実施例では、前記第２実施例と同様な方法を利用して、ピーク（ｐｅａｋ）電流を減少させることができる。ここで、本発明の第２実施例と同一な部分には、同一な引用符号を使用する。
【００６６】
本発明の第３実施例では、説明の便宜のために、図８の走査オン期間を２つの期間に時分割し、時分割された各期間に対応する発光制御信号（ＣＣ）の各パルスを第１及び第２発光制御期間（Ｔ１１´、Ｔ１２´）に設定する。そして、図９の発光部９４０は、６つの走査線（Ｓ１〜Ｓ６）及び９つのコラム線（Ｃ１〜Ｃ９）を含むと設定する。この時、複数の発光画素（ＥＰＸ）は、時分割された走査オン期間によって２つのグループに分けられる。具体的に、複数の走査線（Ｓ１〜Ｓ６）のうちのいずれか１つに走査オン電圧（Ｖｏｎ）が印加され、発光制御信号（ＣＣ）によって複数の発光画素（ＥＰＸ）に発光データ信号が印加される時、発光制御信号（ＣＣ）の第１発光制御期間（Ｔ１１´）によって発光データ信号が印加される複数の発光画素（ＥＰＸ）を第１発光グループ（ＤＢ１´）に、発光制御信号（ＣＣ）の第２発光制御期間（Ｔ１２´）によって発光データ信号が印加される複数の発光画素（ＥＰＸ）を第２発光グループ（ＤＢ２´）に設定する。
【００６７】
発光制御部９１０は、走査オン電圧（Ｖｏｎ）を有する走査信号（Ｓ[１]〜Ｓ[６]）が複数の走査線（Ｓ１〜Ｓ６）に印加される走査オン期間（Ｔ１〜Ｔ６）を設定する。そして、発光制御部９１０は、各走査オン期間（Ｔ１〜Ｔ６）の間の発光データ信号の印加時点を制御するために、時分割された走査オン期間に対応する発光制御信号（ＣＣ）の各パルスを第１及び第２発光制御期間（Ｔ１１´、Ｔ１２´）に設定する。
【００６８】
そうすると、走査駆動部９２０は、走査オン期間の間に複数の走査線（Ｓ１〜Ｓ６）のうちのいずれか１つに走査オン電圧（Ｖｏｎ）を伝達し、コラム駆動部９３０は、発光制御信号（ＣＣ）によって発光データ信号を伝達する。具体的に、走査駆動部９２０は、走査オン期間（Ｔ１）の間に走査オン電圧（Ｖｏｎ）を走査線（Ｓ１）に伝達する。そうすると、コラム駆動部９３０は、発光制御信号（ＣＣ）の第１発光制御期間（Ｔ１１´）の間に複数のコラム線（Ｃ１、Ｃ３、Ｃ５、Ｃ７、Ｃ９）を通じて走査線（Ｓ１）に連結されている第１発光グループ（ＤＢ１´）に各々の発光データ信号（Ｃ[１]、Ｃ[３]、Ｃ[５]、Ｃ[７]、Ｃ[９]）を伝達する。コラム駆動部９３０は、発光制御信号（ＣＣ）の第２発光制御期間（Ｔ１２´）の間に複数のコラム線（Ｃ２、Ｃ４、Ｃ６、Ｃ８）を通じて走査線（Ｓ１）に連結されている第２発光グループ（ＤＢ２´）に各々の発光データ信号（Ｃ[２]、Ｃ[４]、Ｃ[６]、Ｃ[８]）を伝達する。つまり、走査オン期間（Ｔ１）の間の時分割された走査オン期間に対応する発光制御信号（ＣＣ）によって走査線（Ｓ１）に連結されている第１及び第２発光グループ（ＤＢ１´、ＤＢ２´）に発光データ信号が順次に伝達される。そうすると、瞬間的に生成されるピーク（ｐｅａｋ）電流は、走査オン期間の時分割回数（２）に対応して１／２に減少する。同様な方法で、複数の走査線（Ｓ２〜Ｓ６）の各々に走査オン電圧（Ｖｏｎ）が印加される各走査オン期間（Ｔ２〜Ｔ６）の間に、時分割された走査オン期間に対応する発光制御信号（ＣＣ）によって各走査線（Ｓ２〜Ｓ６）に連結されている第１及び第２発光グループ（ＤＢ１´、ＤＢ２´）に発光データ信号が順次に伝達され、それに基づいて瞬間的に生成されるピーク（ｐｅａｋ）電流は１／２に減少する。
【００６９】
図１０は本発明の第３実施例によって瞬間的に生成されるピーク（ｐｅａｋ）電流を減少させる過程を示したフローチャートである。
【００７０】
本発明の第３実施例では、説明の便宜のために、走査線（Ｓ１）に連結されている複数の発光画素（ＥＰＸ）を利用して、ピーク（ｐｅａｋ）電流を減少させる方法について説明する。
【００７１】
発光制御部９１０は、走査線（Ｓ１）に走査オン電圧（Ｖｏｎ）が印加される走査オン期間（Ｔ１）を設定して時分割する（Ｓ１００）。そして、発光制御部９１０は、走査オン期間（Ｔ１）の間の発光データ信号の印加時点を制御するために、時分割された走査オン期間に対応する発光制御信号（ＣＣ）の各パルスを第１及び第２発光制御期間（Ｔ１１´、Ｔ１２´）に設定する（Ｓ２００）。
【００７２】
走査駆動部９２０は、走査オン期間（Ｔ１）の間に走査オン電圧（Ｖｏｎ）を走査線（Ｓ１）に伝達する（Ｓ３００）。コラム駆動部９３０は、発光制御信号（ＣＣ）の第１発光制御期間（Ｔ１１´）の間に走査線（Ｓ１）に連結されている第１発光グループ（ＤＢ１´）に属する複数の発光画素（ＥＰＸ）に発光データ信号を伝達する（Ｓ４００）。コラム駆動部９３０は、発光制御信号（ＣＣ）の第２発光制御期間（Ｔ１２´）の間に走査線（Ｓ１）に連結されている第２発光グループ（ＤＢ２´）に属する複数の発光画素（ＥＰＸ）に発光データ信号を伝達する（Ｓ５００）。
【００７３】
本発明の第２及び第３実施例では、説明の便宜のために、走査オン期間の時分割回数を２ないし３回に設定したが、本発明はこれに限定されず、使用者によって異なって設定することができる。
【００７４】
図１１は本発明の第４実施例による光源用発光装置の有効領域の内部を示した部分分解斜視図である。
【００７５】
図１１を参照すれば、光源用発光装置において、電子放出ユニット２０は、前記カソード電極２６及びゲート電極２８、及びカソード電極２６に電気的に連結される電子放出部２４を含む。そして、発光ユニット２２は、アノード電極３２、白色光を放出する蛍光層３４、及び蛍光層３４を覆う金属反射膜３６を含む。
【００７６】
蛍光層３４は、赤色蛍光体、緑色蛍光体、及び青色蛍光体が混合されて白色光を放出する混合蛍光体からなり、第２基板１４の有効領域全体に位置することができる。
【００７７】
光源用発光装置において、第１基板１２及び第２基板１４は、５ないし２０ｍｍの比較的大きな間隔をおいて位置することができる。第１基板１２及び第２基板１４の間隔の拡大を通じて真空容器の内部のアーク放電を減少させることができ、アノード電極３２に１０ｋＶ以上、好ましくは１０ないし１５ｋＶの高電圧を印加することができる。このような発光装置は、有効領域の中央部で約１０，０００ｃｄ／ｍ２の最大輝度を実現することができる。
【００７８】
図１２は図１１に示した発光装置を光源として使用する本発明の第４実施例による表示装置の分解斜視図である。
【００７９】
図１２を参照すれば、本実施例の表示装置５０は、発光装置１０、及び発光装置１０の前方に位置する表示パネル４８を含む。発光装置１０及び表示パネル４８の間には、発光装置１０から放出された光を均一に拡散させる拡散板５２が位置し、拡散板５２及び発光装置１０は所定の距離をおいて離れて位置する。
【００８０】
表示パネル４８は、液晶表示パネルまたは他の受光型表示パネルからなる。以下では、表示パネル４８が液晶表示パネルである場合について説明する。
【００８１】
表示パネル４８は、多数の薄膜トランジスタ（ｔｈｉｎ ｆｉｌｍ ｔｒａｎｓｉｓｔｏｒ；ＴＦＴ）が形成された下部基板５４、カラーフィルターが形成された上部基板５６、及びこの基板５４、５６の間に注入される液晶層（図示せず）を含む。上部基板５６の上面及び下部基板５４の下面には、偏光板（図示せず）が付着されて、表示パネル４８を通過する光を偏光させる。
【００８２】
下部基板５４の内側面には、副画素（ｓｕｂ−ｐｉｘｅｌ）別に薄膜トランジスタ（ｔｈｉｎ ｆｉｌｍ ｔｒａｎｓｉｓｔｏｒ；ＴＦＴ）によって駆動が制御される透明な画素電極が位置し、上部基板５６の内側面には、カラーフィルター層及び透明な共通電極が位置する。カラーフィルター層は、副画素別に１つずつ位置する赤色フィルター層、緑色フィルター層、及び青色フィルター層を含む。
【００８３】
特定の副画素のＴＦＴがターンオンされると、画素電極及び共通電極の間に電界が形成され、この電界によって液晶分子の配向角が変化し、変化した配向角によって光の透過率が変化する。表示パネル４８は、このような過程を通じて、画素別の輝度及び発光色を制御することができる。
【００８４】
図１２で、引用符号５８は各ＴＦＴのゲート電極２８にゲート駆動信号を伝達するゲート回路ボードアセンブリーを示し、引用符号６０は各ＴＦＴのソース電極にデータ駆動信号を伝達するデータ回路ボードアセンブリーを示す。
【００８５】
発光装置１０は、表示パネル４８より少ない数の画素を形成し、発光装置１０の１つの画素が表示パネル４８の２つ以上の画素に対応するようにする。発光装置１０の各画素は、これに対応する表示パネル４８の複数の画素のうちの最も高い階調に対応して発光することができ、発光装置１０は、画素別に２ないし８ビットの階調を表現することができる。
【００８６】
便宜上、表示パネル４８の画素を第１画素とし、発光装置１０の画素を第２画素とし、１つの第２画素に対応する第１画素を第１画素群とする。
【００８７】
発光装置１０の駆動過程は、（ａ）表示パネル４８を制御する信号制御部（図示せず）が第１画素群の第１画素のうちの最も高い階調を検出し、（ｂ）検出された階調によって第２画素の発光に必要な階調を算出して、これをデジタルデータに変換し、（ｃ）デジタルデータを利用して発光装置１０の駆動信号を生成し、（ｄ）生成された駆動信号を発光装置１０の駆動電極に印加する段階を含む。
【００８８】
発光装置１０の駆動のための走査回路ボードアセンブリー及びコラム回路ボードアセンブリーは、発光装置１０の裏面に位置することができる。図１２において、引用符号６２はカソード電極２６及びデータ回路ボードアセンブリーを連結する接続部材を示し、引用符号６４はゲート電極２８及び走査回路ボードアセンブリーを連結する接続部材を示す。
【００８９】
このように、発光装置１０の第２画素は、対応する第１画素群に画像が表示される時に、第１画素群に同期して所定の階調で発光する。つまり、発光装置１０は、表示パネル４８が実現する画面のうちの明るい部分には高い輝度の光を提供し、暗い部分には低い輝度の光を提供する。従って、本実施例の表示装置５０は、画面の動的コントラスト比（ｄｙｎａｍｉｃ ｃｏｎｔｒａｓｔ）を高めて、より鮮明な画質を実現することができる。
【００９０】
以下、図１３を参照して、本発明の第４実施例による表示装置及びその駆動方法を具体的に説明する。
【００９１】
図１３は本発明の第４実施例による表示装置を示したブロック図である。本発明の第４実施例による表示装置は受光素子であって、液晶素子を使用する液晶パネル組立体４００を含む。しかし、本発明はこれに限定されない。
【００９２】
図１３に示したように、本発明の第４実施例による表示装置は、液晶パネル組立体４００、液晶パネル組立体４００に連結されたゲート駆動部５００及びデータ駆動部６００、データ駆動部６００に連結された階調電圧生成部７００、発光装置９００、及びこれらを制御する信号制御部８００を含む。
【００９３】
液晶パネル組立体４００は、等価回路で見る時、複数の信号線（Ｇ１〜Ｇｎ、Ｄ１〜Ｄｍ）、この信号線に連結されていて、ほぼ行列形態に配列されている複数の画素（ｐｉｘｅｌ）（ＰＸ）を含む。信号線（Ｇ１〜Ｇｎ、Ｄ１〜Ｄｍ）は、ゲート信号（走査信号ともいう）を伝達する複数のゲート線（Ｇ１〜Ｇｎ）、及びデータ信号を伝達する複数のデータ線（Ｄ１〜Ｄｍ）を含む。
【００９４】
各画素（ＰＸ）、例えばｉ番目（ｉ＝１、２、・・・、ｎ）のゲート線（Ｇｉ）及びｊ番目（ｊ＝１、２、・・・、ｍ）のデータ線（Ｄｊ）に連結された画素４１０は、信号線（Ｇｉ、Ｄｊ）に連結されたスイッチング素子（Ｑ）、及びこれに連結された液晶キャパシタ（Ｃｌｃ）及びストレージキャパシタ（Ｃｓｔ）を含む。ストレージキャパシタ（Ｃｓｔ）は、必要に応じて省略することができる。
【００９５】
スイッチング素子（Ｑ）は、下部基板（図示せず）に形成される薄膜トランジスタなどの三端子素子であって、その制御端子はゲート線（Ｇｉ）に連結され、入力端子はデータ線（Ｄｊ）に連結され、出力端子は液晶キャパシタ（Ｃｌｃ）及びストレージキャパシタ（Ｃｓｔ）に連結されている。
【００９６】
ゲート駆動部５００は、液晶パネル組立体４００のゲート線（Ｇ１〜Ｇｎ）に連結されていて、ゲートオン電圧（Ｖｏｎ）及びゲートオフ電圧（Ｖｏｆｆ）の組合わせからなるゲート信号をゲート線（Ｇ１〜Ｇｎ）に印加する。
【００９７】
データ駆動部６００は、液晶パネル組立体４００のデータ線（Ｄ１〜Ｄｍ）に連結されていて、階調電圧生成部７００から階調電圧を選択して、これをデータ信号としてデータ線（Ｄ１〜Ｄｍ）に印加する。しかし、階調電圧生成部７００が全ての階調に対する階調電圧を提供せず、決められた数の基準階調電圧だけを提供する場合、データ駆動部６００は、基準階調電圧を分圧して全ての階調に対する階調電圧を生成して、この中からデータ信号を選択する。
【００９８】
階調電圧生成部７００は、画素（ＰＸ）の透過率に関する二組の階調電圧の集合（または基準階調電圧の集合）を生成する。二組のうちの一組は共通電圧（Ｖｃｏｍ）に対して正の値を有し、他の一組は負の値を有する。
【００９９】
信号制御部８００は、ゲート駆動部５００、データ駆動部６００、及び発光制御部９１０などを制御する。信号制御部８００は、外部のグラフィック制御器（図示せず）から入力画像信号（Ｒ、Ｇ、Ｂ）及びその表示を制御する入力制御信号を受信する。
【０１００】
入力画像信号（Ｒ、Ｇ、Ｂ）は、各画素（ＰＸ）の輝度（ｌｕｍｉｎａｎｃｅ）情報を含み、輝度は、決められた数、例えば１０２４（＝２１０）、２５６（＝２８）、または６４（＝２６）個の階調（ｇｒａｙｓｃａｌｅ）を有している。入力制御信号の例としては、垂直同期信号（Ｖｓｙｎｃ）及び水平同期信号（Ｈｓｙｎｃ）、メインクロック信号（ＭＣＬＫ）、データイネーブル信号（ＤＥ）などがある。
【０１０１】
信号制御部８００は、入力画像信号（Ｒ、Ｇ、Ｂ）及び入力制御信号に基づいて、入力画像信号（Ｒ、Ｇ、Ｂ）を液晶パネル組立体４００の動作条件に合うように適切に処理して、ゲート制御信号（ＣＯＮＴ１）及びデータ制御信号（ＣＯＮＴ２）などを生成した後、ゲート制御信号（ＣＯＮＴ１）をゲート駆動部５００に出力し、データ制御信号（ＣＯＮＴ２）及び処理した画像信号（ＤＡＴＡ）をデータ駆動部６００に出力する。また、信号制御部８００は、ゲート制御信号（ＣＯＮＴ１）、データ制御信号（ＣＯＮＴ２）、及び処理した画像信号（ＤＡＴＡ）を発光制御部９１０に伝達する。
【０１０２】
本発明の第４実施例による光源用発光装置（以下、発光装置）９００は、発光制御部９１０、走査駆動部９２０、コラム駆動部９３０、及び発光部９４０を含む。        
【０１０３】
図面に示したように、本発明の第４実施例による走査線（Ｓ１〜Ｓｐ）は、発光画素（ＥＰＸ）のゲート電極２８の役割を果たし、コラム線（Ｃ１〜Ｃｑ）は、発光画素（ＥＰＸ）のカソード電極２６の役割を果たして、電子放出部２４と連結されている。
【０１０４】
走査駆動部９２０は、複数の走査線（Ｓ１〜Ｓｐ）に連結されていて、走査駆動制御信号（ＣＳ）によって発光画素（ＥＰＸ）がそれに対応する複数の液晶画素（ＥＸ）と同期して発光することができるように複数の走査信号を伝達する。
【０１０５】
コラム駆動部９３０は、複数のコラム線（Ｃ１〜Ｃｑ）に連結されていて、発光制御信号（ＣＣ）及び発光信号（ＣＬＳ）によって発光画素（ＥＰＸ）がそれに対応する複数の液晶画素（ＥＸ）の階調に対応して発光することができるように制御する。具体的に、コラム駆動部９３０は、発光信号（ＣＬＳ）によって複数の発光データ信号を生成し、発光制御信号（ＣＣ）によって複数のコラム線（Ｃ１〜Ｃｑ）に伝達する。つまり、コラム駆動部９３０は、１つの発光画素（ＥＰＸ）に対応する複数の液晶画素（ＥＸ）に表示される画像に合わせて発光画素（ＥＰＸ）が所定の階調で発光することができるように同期させる。本発明の第４実施例による発光データ信号は、表示される画像に合わせて設定された所定の階調に対応する電圧レベルを有する。
【０１０６】
発光部９４０は、走査信号を伝達する複数の走査線（Ｓ１〜Ｓｐ）、発光データ信号を伝達する複数のコラム線（Ｃ１〜Ｃｑ）、及び複数の発光画素（ＥＰＸ）を含む。複数の発光画素（ＥＰＸ）の各々は、走査線（Ｓ１〜Ｓｐ）及び走査線と交差するコラム線（Ｃ１〜Ｃｑ）によって定義される領域に位置する。この時、走査線（Ｓ１〜Ｓｐ）は走査駆動部９２０に連結され、コラム線（Ｃ１〜Ｃｑ）はコラム駆動部９３０に連結される。そして、走査駆動部９２０及びコラム駆動部９３０は、発光制御部９１０に連結されて、発光制御部９１０の制御信号によって動作する。
【０１０７】
発光制御部９１０は、ゲート制御信号（ＣＯＮＴ１）、データ制御信号（ＣＯＮＴ２）、及び処理した画像信号（ＤＡＴＡ）を信号制御部８００から受信する。そうすると、発光制御部９１０は、画像信号（ＤＡＴＡ）を利用して発光装置の１つの画素（ＥＰＸ）に対応する複数の液晶画素（ＰＸ）のうちの最も高い階調を検出し、検出された階調に対応する発光画素（ＥＰＸ）の階調を決定する。また、発光制御部９１０は、これをデジタルデータに変換してコラム駆動部９３０に伝達し、この時、デジタルデータは、発光信号（ＣＬＳ）に含まれる。そして、発光制御部９１０は、ゲート制御信号（ＣＯＮＴ１）を利用して複数の走査線（Ｓ１〜Ｓｐ）に走査信号を伝達する時点を制御する走査駆動制御信号（ＣＳ）を生成して、走査駆動部９２０に伝達する。この時、走査信号は、電子放出部２４から電子が放出されるように設定された所定の電圧レベルを有する走査オン電圧（Ｖｏｎ）、及び電子がそれ以上放出されないように設定された所定の電圧レベルを有する走査オフ電圧（Ｖｏｆｆ）を有する。
【０１０８】
本発明の第４実施例による発光制御部９１０は、走査オン電圧（Ｖｏｎ）及び発光データ信号の電圧差によって瞬間的に生成されるピーク（ｐｅａｋ）電流を減少させるために、走査オン期間を少なくとも２つの期間に時分割し、時分割された走査オン期間に対応する期間の間に同一な走査線に連結されている複数の発光画素（ＥＰＸ）に発光データ信号が伝達されるように制御する。
【０１０９】
具体的に、走査オン期間が３つの期間に時分割される場合には、複数の発光画素（ＥＰＸ）は時分割された走査オン期間によって３つのグループに分けられ、各グループに該当する複数の発光画素（ＥＰＸ）に発光データが伝達される時点は、グループ別に異なって設定される。そうすると、グループ別に生成されるピーク（ｐｅａｋ）電流は、全ての発光画素（ＥＰＸ）が同時に発光して生成されるピーク（ｐｅａｋ）電流より小さく生成され、その大きさは、走査オン期間の時分割回数（３）に対応して１／３に減少する。この時、各グループに複数の発光データ信号が伝達される時点を異なって設定するために、発光制御部９１０は、時分割された期間に対応するパルスを有する発光制御信号（ＣＣ）を生成して、コラム駆動部９３０に伝達する。本発明の第４実施例によるコラム駆動部９３０は、発光制御信号（ＣＣ）のパルスによって各グループに複数の発光データ信号を伝達する。つまり、コラム駆動部９３０は、走査オン期間の間に少なくとも２つのパルスを有する発光制御信号（ＣＣ）によって各グループに複数の発光データ信号を順次に伝達する。このように、走査オン期間を時分割する方法を利用して、複数の発光データ信号を順次に伝達することによって、瞬間的に生成されるピーク（ｐｅａｋ）電流を減少させることができる。
【０１１０】
本発明の第４実施例によるピーク（ｐｅａｋ）電流を減少させる方法は、前記第２及び第３実施例と同一なので、具体的な説明は省略する。
【０１１１】
このように、本発明の第２、第３、及び第４実施例の発光装置は、時分割された走査オン期間によって複数の発光画素（ＥＰＸ）を少なくとも２つのグループに分け、時分割された走査オン期間に対応する発光制御信号（ＣＣ）によって各グループ別に複数の発光データ信号を順次に伝達することによって、瞬間的に生成されるピーク（ｐｅａｋ）電流を減少させることができる。
【０１１２】
前記では、液晶パネル組立体を使用する表示装置を利用する実施例について説明したが、本発明はこれに限定されず、本発明は、自発光でない表示装置で、発光装置から受光して画像を表示する表示装置に全て適用することができる。
前記では、本発明の好ましい実施例について説明したが、本発明はこれに限定されず、特許請求の範囲、発明の詳細な説明、及び添付した図面の範囲内で多様に変形して実施することができ、これも本発明の範囲に属する。
【図面の簡単な説明】
【０１１３】
【図１】本発明の第１実施例による発光装置の部分断面図である。
【図２】本発明の第２実施例による発光装置の部分断面図である。
【図３】図２に示した自己表示が可能な発光装置の有効領域の内部を示した部分分解斜視図である。
【図４】本発明の第２実施例による発光装置を示したブロック図である。
【図５】本発明の第２実施例による発光装置の駆動タイミングを示した図面である。
【図６】本発明の第２実施例による発光部の一部分を簡略化して示した図面である。
【図７】本発明の第２実施例によって瞬間的に生成されるピーク（ｐｅａｋ）電流を減少させる過程を示したフローチャートである。
【図８】本発明の第３実施例による発光装置の駆動タイミングを示した図面である。
【図９】本発明の第３実施例による発光部の一部分を簡略化して示した図面である。
【図１０】本発明の第３実施例によって瞬間的に生成されるピーク（ｐｅａｋ）電流を減少させる過程を示したフローチャートである。
【図１１】本発明の第４実施例による光源用発光装置の有効領域の内部を示した部分分解斜視図である。
【図１２】図１１に示した発光装置を光源として使用する本発明の第４実施例による表示装置の分解斜視図である。
【図１３】本発明の第４実施例による表示装置を示したブロック図である。
【符号の説明】
【０１１４】
４００  液晶パネル組立体
５００  ゲート駆動部
６００  データ駆動部
７００  階調電圧生成部
８００  信号制御部
９００  発光装置
９１０  発光制御部
９２０  走査駆動部
９３０  コラム駆動部
９４０  発光部
【図１】
2009037195.tif 000003
【図２】
2009037195.tif 000004
【図３】
2009037195.tif 000005
【図４】
2009037195.tif 000006
【図５】
2009037195.tif 000007
【図６】
2009037195.tif 000008
【図７】
2009037195.tif 000009
【図８】
2009037195.tif 000010
【図９】
2009037195.tif 000011
【図１０】
2009037195.tif 000012
【図１１】
2009037195.tif 000013
【図１２】
2009037195.tif 000014
【図１３】
2009037195.tif 000015